(57)【特許請求の範囲】
【請求項１】
発射装置から発射された遊技球を案内する遊技球導入経路と、該遊技球導入経路から排出された遊技球が進入する遊技領域と、前記遊技領域内の遊技球が前記遊技球導入経路内に逆流することを阻止する逆流防止装置と、前記逆流防止装置を支持する取付け部材と、を備えた遊技機であって、
前記逆流防止装置は、前記取付け部材に対して係止される被係止部を有したベースと、前記ベースに形成された軸穴内に挿通される軸部材と、前記軸部材によって回動自在に軸支された逆流阻止片と、を備え、
前記被係止部は前記取付け部材に取り付けられる取付け片を備え、前記取付け片は前記取付け部材に設けた取付け穴内に嵌合するストッパ突起を備え、
前記ストッパ突起の外周縁は前記取付け穴の内周縁に対して、周方向に沿って面接触しており、且つ前記ストッパ突起の裏面視の面積は、前記取付け穴の開口面積の１／２以上であることを特徴とする遊技機。
【発明の詳細な説明】
【技術分野】
【０００１】
本発明は、発射装置から遊技球導入経路を経由して遊技領域に打ち出された遊技球が遊技球導入経路内に逆戻りすることを阻止する逆流防止装置を改良した遊技機に関するものである。
【背景技術】
【０００２】
パチンコ遊技機においては、遊技盤の遊技領域内に遊技釘、入賞口、風車、図柄表示装置、電飾装置等の各種盤面部品を設けて遊技内容の多様性を図っている。
遊技領域の左縁部には、発射装置から発射された遊技球を遊技領域内にガイドするガイドレール対が立設され、２つのガイドレール間には遊技球導入経路が形成されている。
遊技球導入経路と遊技領域との境界には、遊技領域に進入した遊技球が遊技球導入経路に逆戻りすることを阻止するための逆流防止装置が配置されている（特許文献１）。
【０００３】
図８（ａ）及び（ｂ）は従来のパチンコ遊技機に用いられる逆流防止装置と内側ガイドレールを示す表面側斜視図、及び裏面側斜視図であり、図９はこの従来の逆流防止装置の分解斜視図であり、図１０（ａ）及び（ｂ）は内側ガイドレールに従来の逆流防止装置を取り付けた状態を示す表面側斜視図、及び正面縦断面図であり、図１１（ａ）（ｂ）及び（ｃ）は従来の逆流防止装置の表面図、Ａ−Ａ断面図、及びＢ−Ｂ断面図であり、図１２は係止穴とストッパ突起との係止状態を説明する底面図である。
【０００４】
図１０（ａ）に示すように遊技盤１２０の外周左縁部には外側ガイドレール１２７と内側ガイドレール１２５が所定のギャップを隔てて対向配置されている。このギャップは、下方に位置する発射装置から発射されてきた遊技球Ｂ１を内側ガイドレールの右方向に位置する遊技領域１２１内に導くための遊技球誘導路Ｐを構成している。
内側ガイドレール１２５の先端部には、逆流防止装置１００が取り付けられる。
逆流防止装置１００は、内側ガイドレール１２５の先端部に係止されることにより、遊技球誘導路Ｐ内を上向きに移動する遊技球Ｂ１が遊技領域１２１へ進入することを許容する一方で、遊技球誘導路Ｐ内へ逆戻しすることを防止する手段である。
【０００５】
図９等に示すように、逆流防止装置１００は、開口部１０２を有したベース部材１０１と、開口部１０２内に支持される軸部材１１０によって回動自在に軸支される逆流防止片１１２と、ベース部材１０１の底面から開口部１０２内に組み付けられることにより軸部材１１０と逆流防止片１１２をベース部材１０１に固定する蓋部材１１５と、を概略備えている。逆流防止片１１２の一部を除いて逆流防止装置は樹脂材料から構成されている。
ベース部材の開口部１０２の対向する２つの内壁に形成された軸支穴１０３は底面側が開放しており、この開放部から軸部材１１０の両端部を軸支穴内に差し込むことができる。ベース部材の下部１０４には凹所１０４ａが形成されている。
逆流防止片１１２は、軸部材１１０を挿通する軸穴１１２ａと、遊技球誘導路Ｐを開閉する弁体１１２ｂと、金属製の錘１１２ｄを内蔵したバランサー部１１２ｃとから一体的に構成されている。
軸部材１１０を逆流防止片１１２の軸穴１１２ａ内に差し込んだ状態で、軸穴から突出した両端部を各軸支穴１０３に差込んでから、蓋部材１１５を組み付けて開口部１０２を塞ぐことにより、逆流防止装置の組立が完了する。
【０００６】
蓋部材１１５は、ベース部材底面に組み付けられて開口部１０２を塞ぐ本体１１６と、本体１１６の下部からクランク状に下方へ突出した舌状の取付け片１１７と、を備えている。蓋部材の本体１１６の２つの外壁に設けた係止爪１１６ａがベース部材の開口部内壁の対応する位置に設けた被係止部（凹所、薄肉部）１０５に係止されることにより、蓋部材はベース部材に係止される。係止爪１１６ａが係止する開口部周縁部位は、凹所状の被係止部１０５を設けたことによって薄肉部１０５ａとなっており、蓋部材の本体１１６をベース部材底面に組み付ける際には係止爪１１６ａが弾性変形しながら薄肉部を乗り越えて被係止部１０５内に着座、係止される（図９、図１１、図１２）。
蓋部材の本体１１６が開口部１０２を塞いだ状態では、取付け片１１７は開口部１０２を経由してベース部材の表面側に延びており、ベース部材の下部１０４と並行に対向配置されている。内側ガイドレール１２５の端部は、ベース部材の下部１０４と取付け片１１７との間に圧入される。取付け片１１７の一面には金属製の内側ガイドレールの先端に貫通形成した係止穴１２５ａ内に弾性的に嵌合して抜け落ちを防止するためのストッパ突起１１７ａが突設されている。
【０００７】
図１０（ｂ）の断面図に示すように、蓋部材１１５の取付け片１１７はベース部材の下部１０４に設けた凹所１０４ａと対向配置されている。内側ガイドレールの先端をベース部材の下部１０４と取付け片１１７との間に圧入した際に、ストッパ突起１１７ａが係止穴１２５ａ内に嵌合することにより、内側ガイドレール先端に逆流防止装置１００を係止できる。
【０００８】
図１２に示すように、係止穴１２５ａは略円形に構成されている一方で、ストッパ突起１１７ａは係止穴１３１と接する外周縁部分１１７ｂが係止穴よりも曲率半径が小さい円弧状に構成されている。また、部品間の寸法精度を甘くして組み付け易さを高めるために、係止穴１２５ａの開口面積はストッパ突起１１７ａの外周形状よりも大幅に大きく構成されている。係止穴１２５ａの内周縁とストッパ突起の外周縁部分１１７ｂとの接触箇所は底面視でほぼ一点での点接触であり、接触面積が極めて狭い。また、矢印Ｃ方向から見た場合には、ストッパ突起１１７ａの厚みと係止穴１２５ａの内周厚み分だけ接触範囲は線状に延びているが、接触面積が極めて狭いことに変わりは無い。
このように従来の逆流防止装置１００は、ベース部材１０１、軸部材１１０、逆流防止片１１２、及び蓋部材１１５といった４部品から構成されており、しかもベース部材、蓋部材の構成が複雑であるため、製造コスト（金型代）、組み付け手数が増大するという問題を有していた。
【０００９】
また、図１１に示すように、ベース部材に設けた被係止部１０５の底部は薄肉部１０５ａとなっている。一方、逆流防止片１１２が高頻度で開閉を繰り返すと、逆流防止装置の錘１１２ｄを内蔵したバランサー部１１２ｃが高頻度で蓋部材に衝突を繰り返す。バランサーが衝突する蓋部材の部位は、係止爪１１６ａ、及び被係止部１０５（薄肉部１０５ａ）に相当する位置であるため、薄肉部１０５ａにひび割れが発生し易くなる。
特に、遊技盤面中央に配置される図示しないセンター役物の外形が大型化して逆流防止装置１００との距離が接近している昨今の遊技機では、逆流防止装置とセンター役物との間の狭い遊技領域内の図示しない遊技釘が、逆流防止装置１００に対してより接近した位置にある。このため、遊技釘から跳ね返って弁体１１２ｂに衝突する遊技球Ｂ２の勢いが強くなってバランサー１１２ｃがベース部材の薄肉部１０５ａに与えるダメージが増大し、薄肉部にひび割れが発生して蓋部材がベース部材から脱落し易くなっている。
【００１０】
また、蓋部材から延びる取付け片のストッパ突起１１７ａと、金属製の内側ガイドレールの係止穴１２５ａの内周面との接触面積が狭小であるため、樹脂製のストッパ突起１１７ａが金属製の係止穴内周面との間で摩耗し易くなる。このため、ストッパ突起の一部が削れて変形したり、割れる等により、ストッパ突起１１７ａが係止穴１２５ａから脱落して逆流防止装置を内側ガイドレールから脱落させる事態が起きていた。
特許文献１には、このような不具合とその解決手段について示唆さえもなされていない。
【先行技術文献】
【特許文献】
【００１１】
【特許文献１】特開２０１１−５０５６０公報
【発明の概要】
【発明が解決しようとする課題】
【００１２】
本発明は上記に鑑みてなされたものであり、部品点数を必要最小数に減少させると共に、逆流防止片への遊技球の衝突に起因して破損し易い脆弱部を無くした逆流防止装置を備えた遊技機を提供することを目的としている。
【課題を解決するための手段】
【００１３】
上記目的を達成するため、請求項１に係る遊技機は、発射装置から発射された遊技球を案内する遊技球導入経路と、該遊技球導入経路から排出された遊技球が進入する遊技領域と、前記遊技領域内の遊技球が前記遊技球導入経路内に逆流することを阻止する逆流防止装置と、前記逆流防止装置を支持する取付け部材と、を備えた遊技機であって、前記逆流防止装置は、前記取付け部材に対して係止される被係止部を有したベースと、前記ベースに形成された軸穴内に挿通される軸部材と、前記軸部材によって回動自在に軸支された逆流阻止片と、を備え、前記被係止部は前記取付け部材に取り付けられる取付け片を備え、前記取付け片は前記取付け部材に設けた取付け穴内に嵌合するストッパ突起を備え、前記ストッパ突起の外周縁は前記取付け穴の内周縁に対して、周方向に沿って面接触しており、且つ前記ストッパ突起の裏面視の面積は、前記取付け穴の開口面積の１／２以上であることを特徴とする。
【発明の効果】
【００１４】
本発明によれば、部品点数を必要最小数に減少させると共に、逆流防止片への遊技球の衝突に起因して破損し易い脆弱部を無くすることができる。
【図面の簡単な説明】
【００１５】
【図１】本発明を適用した遊技機の一例としてのパチンコ遊技機の全体構成を示す正面図である。
【図２】遊技盤を含めたユニットの全体構成を示す正面斜視図である。
【図３】（ａ）は遊技盤、センター部材、及び内外のガイドレール等の斜視図であり、（ｂ）は内側ガイドレールと逆流防止装置の関係を示す拡大斜視図である。
【図４】本発明の一実施形態に係る逆流防止装置と内側ガイドレールの組み付け前の対応関係を示す説明図であり、（ａ）は表面側斜視図であり、（ｂ）は裏面側斜視図である。
【図５】逆流防止装置を構成する個々の要素を示す分解斜視図である。
【図６】（ａ）乃至（ｃ）は遊技球が逆流防止装置を通過する過程と逆流を防止している状態を順次説明する断面図である。
【図７】内側ガイドレールに逆流防止装置を組み付けた状態を示す裏面図である。
【図８】（ａ）及び（ｂ）は従来のパチンコ遊技機に用いられる逆流防止装置と内側ガイドレールを示す表面側斜視図、及び裏面側斜視図である。
【図９】従来の逆流防止装置の分解斜視図である。
【図１０】（ａ）及び（ｂ）は内側ガイドレールに従来の逆流防止装置を取り付けた状態を示す表面側斜視図、及び正面縦断面図である。
【図１１】（ａ）（ｂ）及び（ｃ）は従来の逆流防止装置の表面図、Ａ−Ａ断面図、及びＢ−Ｂ断面図である。
【図１２】係止穴とストッパ突起との係止状態を説明する底面図である。
【発明を実施するための形態】
【００１６】
以下、本発明を図面に示した実施の形態例により詳細に説明する。
図１は本発明を適用した遊技機の一例としてのパチンコ遊技機の全体構成を示す正面図であり、図２は遊技盤を含めたユニットの全体構成を示す正面斜視図であり、図３（ａ）は遊技盤、センター部材、及び内外のガイドレール等の斜視図であり、（ｂ）は内側ガイドレールと逆流防止装置の関係を示す拡大斜視図である。
【００１７】
図１において、遊技機１は、遊技店の島設備に取り付けられる外枠２と、外枠２により一方の縦辺を回動可能に支持された内枠３と、を備えている。内枠３には遊技球が流下する遊技領域１３が形成された遊技盤１２が設けられている。
内枠３は、遊技盤１２の前方（遊技者側）において遊技領域１３を視認可能に覆うガラス板（図示しない）を支持している。
外枠２には、遊技盤１２、遊技盤の背面に固定されるベース枠体３０、及びベース枠体の背面に固定される画像表示ユニット（画像表示装置、画像表示カバー）からなる遊技盤ユニットＵが開閉自在に組み付けられている（図２）。
【００１８】
内枠３には、回動操作されることにより遊技領域１３に向けて遊技球を発射させる発射装置（操作ハンドル）４と、遊技球を貯留する受け皿６を有した皿ユニット５等が設けられている。
遊技者が発射装置４を回動させると、遊技球が遊技領域１３に発射される。発射された遊技球が外側ガイドレール１５と内側ガイドレール１６との間に形成される遊技球導入経路Ｐを上昇して逆流防止装置４０を超えると遊技領域１３に到達し、遊技領域１３内を落下する。このとき、遊技領域１３に設けられた複数の釘や風車によって、遊技球は予測不能に落下することとなる。
遊技盤１２の遊技領域１３には、複数の一般入賞口２１が設けられている。これら各一般入賞口２１に遊技球が入賞すると、所定の賞球（例えば１０個の遊技球）が払い出される。
【００１９】
また、遊技領域１３の中央下側の領域には、遊技球が入球可能な始動領域を構成する第１始動口２２および第２始動口２３が設けられている。
第１始動口２２、又は第２始動口２３に遊技球が入球すると、特別図柄判定用乱数値等を取得し、大当たり遊技を実行する権利獲得の抽選（以下、「大当たり抽選」という）が行われる。また、第１始動口２２または第２始動口２３に遊技球が入球した場合には、所定の賞球（例えば３個の遊技球）が払い出される。
さらに、遊技領域１３の右側領域の下方には、遊技球が入球可能な大入賞装置２４が設けられている。
【００２０】
大入賞装置２４は、通常は大入賞装置可動片（開閉片）２４ｂによって大入賞口２４ａを閉状態に維持されており、遊技球の入球を不可能としている。これに対して、所定の特別遊技が開始されると、開閉片２４ｂが開放されるとともに、この開閉片２４ｂが遊技球を大入賞口２４ａ内に導く受け皿として機能し、遊技球が大入賞口に入球可能となる。大入賞口に遊技球が入球すると予め設定された賞球（例えば１５個の遊技球）が払い出される。
更には、遊技領域１３の最下部の領域には、一般入賞口２１、第１始動口２２、第２始動口２３、大入賞装置２４のいずれにも入球しなかった遊技球を排出するためのアウト口２５が設けられている。
【００２１】
また、遊技領域１３の中央には開口部１３Ａが形成されており、開口部１３Ａの周縁に沿って遊技球の流下に影響を与える環状の装飾部品（センター部材）１８が設けられている。センター部材１８には、他の装飾部材１４が取り付けられている。
装飾部品１８の略中央部分（開放部）であって遊技盤の背面（後面）側には、液晶表示装置等からなる画像表示装置１９が設けられている。
【００２２】
画像表示装置（表示手段）１９は、遊技が行われていない待機中にその表示画面に画像を表示したり、遊技の進行に応じた画像を表示する。なかでも、後述する大当たり抽選の結果を報知するための３個の演出図柄１９ａが表示され、特定の演出図柄１９ａの組合せ（例えば、７７７等）が停止表示されることにより、大当たり抽選結果として大当たりが報知される。
遊技盤１２の左下方には、各種図柄を表示するための図柄表示装置２０が設けられている。
遊技盤１２の遊技領域１３は、その外周縁の左下部から右上部にかけて板金製の外側ガイドレール１５によって包囲されている。外側ガイドレール１５の左側部分と対向配置された板金製の内側ガイドレール（取付け部材）１６の先端部には逆流防止装置４０が取り付けられている。
【００２３】
［実施形態］
図４は本発明の一実施形態に係る逆流防止装置と内側ガイドレールの組み付け前の対応関係を示す説明図であり、（ａ）は表面側斜視図であり、（ｂ）は裏面側斜視図である。図５は逆流防止装置を構成する個々の要素を示す分解斜視図であり、図６（ａ）乃至（ｃ）は遊技球が逆流防止装置を通過する過程と逆流を防止している状態を順次説明する断面図であり、図７は内側ガイドレールに逆流防止装置を組み付けた状態を示す裏面図である。
【００２４】
本実施形態に係る遊技機は、発射装置４から発射された遊技球Ｂを案内する遊技球導入経路Ｐと、遊技球導入経路から排出された遊技球が進入する遊技領域１３と、遊技領域内の遊技球が遊技球導入経路内に逆流することを阻止する逆流防止装置４０と、逆流防止装置を着脱自在に支持する内側ガイドレール１６（取付け部材）と、を備えた、逆流防止装置４０は、内側ガイドレール１６に対して係止される被係止部４５を有したベース４１と、ベースに形成された軸穴４４ａ内に挿通（圧入）される軸部材５５と、軸部材５５を挿通させる挿通穴６２を有し、且つ該軸部材５５によって回動自在に軸支された逆流阻止片６０と、を備えている。更に、被係止部４５は内側ガイドレール１６に取り付けられる取付け片５０を備え、取付け片は内側ガイドレールに設けた取付け穴１６ａ内に嵌合するストッパ突起５１を備え、ストッパ突起の外周縁は取付け穴１６ａの内周縁に対して、周方向に沿って面状に広い面積で接触（面接触）している構成が特徴的である。
逆流防止装置４０を構成するベース４１は樹脂製であり、逆流阻止片６０の挿通穴６２を有した部位を嵌合させる略四角い嵌合部（凹所、又は開口部）４３、及び嵌合部４３を間に挟んで対向配置された２つの側部４４を夫々貫通し、且つ逆流阻止片の挿通穴６２と連通する貫通穴としての軸穴４４ａを有した本体４２と、本体４２の下部中央から下方へ向けて突出した薄板状の弾性片としての取付け片５０と、を概略備えている。
【００２５】
被係止部４５は、第１挟圧片４６と、第１挟圧片４６と対向配置された第２挟圧片４７と、２つの第２挟圧片４７の間に、スリット４７ａを介して配置された弾性板としての取付け片５０と、を有している。取付け片５０の裏面にはストッパ突起５１が突設され、ストッパ突起５１と対向する第１挟圧片４６の部位には、凹所４６ａが形成されている。
図４に示すように内側ガイドレールの先端部が第１挟圧片４６と第２挟圧片４７との隙間内に挿入された時に、取付け片のストッパ突起５１が取付け穴１６ａ内に弾性的に嵌合して係止されるように構成されている。
【００２６】
逆流阻止片６０は、２つの軸穴４４ａと連通する挿通穴６２を有した基部６１、基部６１から斜め上方に一体的に突出した逆流防止弁６３、基部６１の下方に連設一体化され内部に金属製の錘６４ａを保持したバランサー部６４と、を備えている。逆流阻止片６０は、錘６４ａを除けば樹脂製である。
逆流阻止片６０は、従来技術において説明した従来の逆流阻止片６０と全く同じ構成であり、本発明の逆流防止装置４０においても共通部品として使用が可能である。
逆流防止装置４０を組み立てる場合には、まず、図５に示したようにベース４１の表面に形成された凹所としての嵌合部４３内に逆流阻止片６０の基部６１とバランサー部６４を嵌合させる。この際に２つの軸穴４４ａと挿通穴６２とが連通するように位置決めし、一方の軸穴４４ａの外側から挿通穴６２内に軸部材５５の一端部を挿通し、軸部材の当該一端部が他方の軸穴４４ａ内に達した時点で組付けが完了する。
【００２７】
軸部材５５の軸方向長は、その両端部が各軸穴４４ａの外方に突出しない適度の長さに設定する。
各軸穴４４ａは、軸部材５５をその一端部から圧入することを許容する一方で、圧入完了後は軸部材が抜け落ちることがない程度に、軸部材外面に挟圧力を付与できる内径とする。また、軸部材５５が逆流阻止片６０の挿通穴６２内に挿通された状態では、逆流阻止片６０全体が軸部材を中心としてスムーズに揺動できるように挿通穴６２の内径が寸法設定される。
或いは、一方の軸穴４４ａの内径を、軸部材５５を挿通し易いように大きめに設定し、且つ他方の軸穴４４ａの内径を軸部材を圧入するように小さめに設定する。この場合には一方の軸穴４４ａから軸部材を差込んで挿通穴６２内に通してから、他方の軸穴４４ａ内に軸部材の先端部を圧入固定する。
【００２８】
逆流防止装置４０は、常時においてはバランサー部６４の作用によって逆流防止弁６３が遊技球誘導経路Ｐを閉じているが、図６（ａ）（ｂ）に示すように遊技球導入経路Ｐから上向きに移動してくる遊技球Ｂ１に対しては逆流防止弁６３が時計回りに回動することにより通過を許容する。一方、遊技領域内から跳ね返って逆流防止弁６３に衝突してくる遊技球Ｂ２に対しては逆流防止弁６３が遊技球導入経路内への逆流を阻止する（図６（ｃ））。
この際、逆流防止弁６３が遊技球Ｂ２から受けた負荷は、バランサー部６４を介してベース４１に加わるが、バランサー部とベースとの接触面Ｄは厚肉部となっているため、この部分だけが他の部位に比して格別のダメージを受けて損耗することはない。つまり、本発明では、ベースの構成をシンプル化し、従来のように別部材としての蓋部材を係止するための薄肉部（脆弱部）を設ける必要がなくなっているので、耐久性を大幅に高めることができる。
このため、センター部材１８の大型化によって逆流防止装置４０の至近距離に配置されることとなった遊技釘にて跳ね返った勢いの強い遊技球が逆流防止弁６３に衝突したとしても、バランサー部からの衝撃によって接触面Ｄが損耗、破壊することを長期に亘って防止することができる。
【００２９】
次に、図４、図６、図７に示すように、取付け片５０は内側ガイドレール１６に設けた取付け穴１６ａ内に嵌合するストッパ突起５１を備え、ストッパ突起の外周縁は取付け穴１６ａの内周縁に対して、底面視で線状（非点状）に、広い面積に亘って接触している構成が特徴的である。
ストッパ突起５１は裏面から視た形状は円形であるが、その裏面は平坦面ではなく、取付け穴１６ａの内周面と外周面で接する厚肉部５１ａと、厚肉部から下方へ向けて傾斜しながら肉厚が漸減する薄肉部５１ｂとから構成されている。厚肉部５１ａと取付け穴内周縁とが所定の周方向幅Ｅに亘って面接触することにより充分な係止力、耐久性を維持する。手作業により逆流防止装置４０の被係止部４５を内側ガイドレールの先端部に圧入してストッパ突起５１を取付け穴１６ａ内に嵌合させる場合には、薄肉部５１ｂの傾斜面が内側ガイドレールの先端部とスムーズに摺接しながらストッパ突起を取付け穴内に誘導する。
裏面視が円形のストッパ突起５１の直径は、円形の取付け穴１６ａの直径の１／２よりも大きく設定されている。これに対して図１２に示した従来例においては円形のストッパ突起１１７ａの直径は、円形の取付け穴１２５ａの直径の１／２以下である。
【００３０】
図１２において説明したように、従来の逆流防止装置においては取付け穴１２５ａとストッパ突起１１７ａとの接触部１１７ｂの接触面積が極小であるため、接触部位に負荷が集中して接触部位を中心としてストッパ突起の損耗が著しくなり、ストッパ突起の損耗、割れによって内側ガイドレールから脱落し易くなる。
図７に示した本発明の構成と、図１２の従来例とを比較すれば明らかなように、本発明では、内側ガイドレールの取付け穴とストッパ突起との接触部Ｅの接触面積が周方向に沿って大幅に拡大しており、遊技球Ｂ２から逆流防止弁６３に加わる衝撃によってストッパ突起５１に加わる負荷を分散させ、ストッパ突起の損耗量を低減させることができる。このため、ストッパ突起は、長時間に亘って損耗、破損することがなくなり、内側ガイドレールと逆流防止装置との係止状態を維持し続ける役割を発揮することができる。
【００３１】
また、取付け穴１６ａの開口面積をストッパ突起５１の面積に比して大幅に大きくしたことにより、取付け穴内にストッパ突起を取り付ける作業に際してのはめ込みが極めてやり易くなっている。
取付け穴内周縁とストッパ突起の外周縁との接触部Ｅの接触面積を大きく確保する必要から、取付け穴の開口面積に比してストッパ突起の面積を大幅に大きくしたことにより、ストッパ突起自体の強度も高まっている。
このため、センター部材１８の大型化によって逆流防止装置４０の直近に遊技釘が植設されるようになった遊技機において、当該遊技釘で跳ね返った直後の勢いの強い遊技球が逆流防止弁６３に衝突したとしても、ストッパ突起５１が損耗することを長期にわたって防止することができる。
なお、ストッパ突起の裏面視形状は必ずしも円形である必要はなく、取付け穴１６ａ内周との接触面積を周方向に亘って広く確保できれば、どのような全体形状であってもよい。
また、本発明では、逆流防止装置４０をベース４１と逆流阻止片６０と軸部材５５の３点により構成し、且つベースの構成をシンプルとなるため、製造手数（金型の構造）、組立て手数が削減され、故障も少なくなる。
【００３２】
［本発明の構成、作用、効果のまとめ］
本発明に係る遊技機は、発射装置から発射された遊技球を案内する遊技球導入経路Ｐと、遊技球導入経路から排出された遊技球が進入する遊技領域１３と、遊技領域内の遊技球が遊技球導入経路内に逆流することを阻止する逆流防止装置４０と、逆流防止装置を支持する内側ガイドレール（取付け部材）１６と、を備え、逆流防止装置４０は、内側ガイドレールに対して係止される被係止部４５を有したベース４１と、ベースに形成された軸穴４４ａ内に挿通（圧入）される軸部材５５と、軸部材を挿通させる挿通穴６２を有し、且つ該軸部材によって回動自在に軸支された逆流阻止片６０と、を備える。被係止部４５は内側ガイドレールに取り付けられる取付け片５０を備え、取付け片は内側ガイドレールに設けた取付け穴１６ａ内に嵌合するストッパ突起５１を備え、ストッパ突起の外周縁は取付け穴の内周縁に対して、周方向に沿った所定の角度範囲内で面状に接触していることを特徴とする。
【００３３】
本発明に係る逆流防止装置４０は、ベース４１と逆流阻止片６０と軸部材５５の３部品から構成されている。ベース４１の構成のみが従来の逆流防止装置のベースと異なっており、逆流阻止片６０と軸部材５５は、従来の部材をそのまま流用することができる。
従来の逆流防止装置と本発明との大きな相違点は、従来はベースに対して軸部材を固定するために別部材の蓋部材を利用していたが、本発明では軸部材自体はベースに設けた軸穴４４ａ内により脱落不能に支持するようにしたので、蓋部材に相当する部材を不要にすることができた点にある。
このため、蓋部材に設けた係止爪を係止するためにベースに設けていた薄肉部などの割れやすい脆弱部が存在しなくなり、ベースの強度を高めることが可能となった。つまり、遊技球が衝突する頻度、負荷が増大しても耐久性を高めることが可能となった。特に、センター部材の大型化によって逆流防止装置の至近距離に配置されるようになった遊技釘からの跳ね返り球から受ける強い負荷によってもベースが損傷することがなくなった。
【００３４】
また、従来の逆流防止装置における取付け片はベースに設けられている訳ではなく、蓋部材に設けられているため、蓋部材の構成が複雑化していた。本発明では、取付け片をベース自体の一部としたので構成のシンプル化、組み付け手数の削減を実現できた。
また、従来は逆流防止装置を内側レール等の取付け部材の取付け穴に係止するために、取付け片に設けたストッパ突起を取付け穴内に嵌合させて、取付け穴の内周とストッパ突起の外周とを接触、係止させていた。しかし、取付け穴の直径（開口面積）に比してストッパ突起の直径（面積が）著しく小さいためにその機械的強度が充分でなく、また両者の接触面積が極めて狭かったため、ストッパ突起が取付け穴との接触箇所から損耗して破損し易かった。
【００３５】
本発明では、取付け穴の内周面とストッパ突起の外周面とを広い面積（周方向長）に亘って面接触させる構成としたので、接触部の耐久性を高めて、ストッパ突起の損耗を大幅に抑えることが可能となった。具体的には、円形の取付け穴の曲率半径に対して、円形のストッパ突起の円弧状の外周面の曲率半径を近づけるように寸法設定したので、周方向への接触面積、接触長を拡大することが可能となった。また、ストッパ突起の大径化によりその強度を高めることも可能となった。
更に具体的には、ストッパ突起５１の直径は、円形の取付け穴１６ａの直径の１／２よりも大きく設定されているために、接触面積が周方向に沿って増大した構造となっている。これに対して、図１２に示した従来例においてはストッパ突起１１７ａの直径は、取付け穴１２５ａの直径の１／２よりも大幅に小さい（ほぼ１／３）であるため、接触箇所はほぼ点接触となっている。
更に、本発明では取付け穴１６ａ内にストッパ突起５１を嵌合させて面接触させた時に、取付け穴の内周縁とストッパ突起の外周縁との間に充分な隙間が形成されるように夫々の直径（面積）を異ならせたので、両部材の寸法精度を低下させて製造を容易化することができると共に、組み付けし易くすることができた。
なお、逆流防止装置を取り付ける手段としての取付け部材１６は、内側ガイドレールには限らない。取付け部材は遊技盤、その他の部位に設けた他の部材であっても良い。
本発明に係る遊技機は、パチンコ遊技機のみならず、パチスロ、その他の遊技機一般に適用することができる。
【符号の説明】
【００３６】
１…遊技機、２…外枠、３…内枠、４…発射装置、Ｐ１…遊技球導入経路Ｐ、１３Ａ…開口部、１４…装飾部材、１５…外側ガイドレール、１６…内側ガイドレール（取付け部材）、１６ａ…取付け穴、１８…センター部材、１８…装飾部品、１９…画像表示装置、１９ａ…演出図柄、２１…一般入賞口、２２…始動口、２３…始動口、２４…大入賞装置、２４ａ…大入賞口、２４ｂ…開閉片、２５…アウト口、３０…ベース枠体、４０…逆流防止装置、４１…ベース、４２…本体、４３…嵌合部、４４…側部、４４ａ…軸穴、４５…被係止部、４６…第１挟圧片、４６ａ…凹所、４７…第２挟圧片、４７ａ…スリット、５０…取付け片、５１…ストッパ突起、５５…軸部材、６０…逆流阻止片、６１…基部、６２…挿通穴、６３…逆流防止弁、６４…バランサー部、６４ａ…錘
【図１】
0005864645.tif 000002
【図２】
0005864645.tif 000003
【図３】
0005864645.tif 000004
【図４】
0005864645.tif 000005
【図５】
0005864645.tif 000006
【図６】
0005864645.tif 000007
【図７】
0005864645.tif 000008
【図８】
0005864645.tif 000009
【図９】
0005864645.tif 000010
【図１０】
0005864645.tif 000011
【図１１】
0005864645.tif 000012
【図１２】
0005864645.tif 000013